(57)【要約】遮断器（１３、１４、１５）に接続される送電網の線（１０、１１、１２）の電流センサおよび／または電圧センサが故障を検知した場合、前記遮断器の開放を制御するように構成された高電圧送電網用のデジタル保護手段が、赤外線タイプの携帯電話（１６、１８）とのデータ伝送リンクを含む。伝送は、ワイヤレスアプリケーションプロトコルＷＡＰを使用する。
2004506400.tif 000002
【特許請求の範囲】
【請求項１】
遮断器（１３、１４、１５）に接続される送電網の線（１０、１１、１２）の電流センサおよび／または電圧センサが故障を検知した場合、前記遮断器の開放を制御するように構成された送電網用のデジタル保護手段であって、遠隔装置とのデータ伝送リンクを含み、前記リンクが、遠隔装置と保護手段の赤外線通信ポート（１６）との間で無線遠隔通信を可能にするアプリケーションプロトコルＷＡＰを用いた赤外線リンク（１６、１８）であることを特徴とする保護手段。
【請求項２】
遠隔装置が携帯電話（１７）であることを特徴とする請求項１に記載のデジタル保護手段。
【請求項３】
電流測定値および／または電圧測定値を受信し、これらの測定値を、保護手段のメモリに記憶されている対応する目標値と比較し、前記比較に対応して、遮断器（１３、１４、１５）に開放制御信号を供給するようにプログラムされたプロセッサ（２）を含み、前記プロセッサがさらに、ワイヤレスアプリケーションプロトコルＷＡＰに従って携帯電話と赤外線リンクを介して通信することにより、前記目標値を入力／修正／編集する対話プログラムを実行するように、プログラムされていることを特徴とする請求項２に記載のデジタル保護手段。
【発明の詳細な説明】
【０００１】
本発明は、遮断器に接続される送電網の線の電流センサおよび／または電圧センサが故障を検知した場合に前記遮断器の開放を制御するように構成され、遠隔装置とのデータ伝送リンクを含む、送電網用のデジタル保護手段を目的とする。
【０００２】
このような保護手段は、特に高電圧発電所または変電所で使用される。保護手段は一般にプロセッサを含み、このプロセッサが、送電網の監視線に取り付けられたセンサによって測定される電流値および／または電圧値を受信し、測定されたこれらの電流値および／または電圧値を対応する目標値と比較し、測定された電流値および／または電圧値が対応する目標値を越える場合、一つまたは複数の遮断器を開放制御することにより送電網の一つまたは複数の故障線を切り離す。
【０００３】
現在まで、保護手段にこうした目標値をロードする場合、有線型のデータ伝送リンクによって保護手段に接続される携帯用のコンピュータを使用してきた。携帯用のコンピュータは、目標値をキーボードで簡単に入力できるばかりでなく、オペレータの可能性を広げて、これらの目標値を画面で修正および編集することができる。しかしながら、携帯用のコンピュータは、有線型のデータ伝送リンクにより保護システムに接続されるため、発電所または変電所で保護手段の周囲を取り巻く厳しい電磁環境による妨害および機能不全を被りやすい。しかも、携帯用コンピュータは、比較的大型で壊れやすく、高電圧の発電所または変電所での使用条件にうまく適合しない。
【０００４】
本発明の目的は、上記の欠点を解消することにある。
【０００５】
このため、本発明は、遮断器に接続される送電網の線の電流センサおよび／または電圧センサが故障を検知した場合、前記遮断器の開放を制御するように構成された送電網用のデジタル保護手段を目的とし、この手段が、遠隔装置とのデータ伝送リンクを含み、前記リンクが、遠隔装置と、保護手段の赤外線通信ポートとの間で無線遠隔通信を可能にするアプリケーションプロトコルＷＡＰを用いた赤外線リンクであることを特徴とする。
【０００６】
本発明による保護手段の特定の実施形態によれば、遠隔装置が携帯電話であり、特に、いわゆる第二世代の携帯電話である。第二世代の携帯電話は、赤外線通信ポートを備えており、この赤外線ポートによりワイヤレスアプリケーションプロトコルＷＡＰに従って通信するように構成することができる。現在、市場で入手できるこのタイプの電話は、キーを有する適切なサイズの画面と、インターネットブラウザソフトとを備えている。従って、インターネットブラウザソフトと互換性のあるデータ入力／修正／編集プログラムをロードして有する、保護手段は、小型で安価な移動電話により、非常に容易に、かつ低コストでパラメータ化可能である。しかも、赤外線データ伝送リンクにより、保護手段と携帯電話との間のガルバーニ電流遮断を極めて確実にすることができる。
【０００７】
本発明による送電網用のデジタル保護手段について、図を参照しながら、以下に説明する。
【０００８】
図に示した高圧送電網用のデジタル保護手段は、エレクトロニクス、特にプロセッサ２を収容した箱１を含む。このプロセッサは、既知の方法で、箱の前面３に取り付けられた画面／キーボードタイプのマン／マシンインターフェース（図示せず）に接続される。
【０００９】
保護手段は、さらに、送電網の監視線、ここでは３本の線１０、１１、１２に取り付けられる電流センサ４、５、６および／または電圧センサ７、８、９と、故障した場合に線を遮断する役割をする遮断器１３、１４、１５とを含む。電流センサおよび／または電圧センサは、箱１に接続されて電流測定値および／または電圧測定値をプロセッサ２に供給し、遮断器は、箱１に接続されて、開放制御信号をプロセッサ２から受信する。プロセッサ２は、箱１のメモリに記憶された目標値と測定値とを比較し、測定値が目標値を越えることを検知した場合、遮断器に開放制御信号を供給するようにプログラムされている。
【００１０】
図から分かるように、赤外線通信ポート１６は、箱１の前面に設けられ、プロセッサ２に接続されている。プロセッサ２は、ワイヤレスアプリケーションインターネットプロトコルＷＡＰに従って赤外線通信ポート１６を介して通信することにより、箱１の目標値の入力／修正／編集対話プログラムを実行するようにプログラムされている。そのため、入力／修正／編集対話プログラムは、インターネットブラウザと互換性のあるインターネットサーバとして設計されている。入力／修正／編集プログラムとの通信は、セルラ携帯電話１７を介して遠隔無線で実施される。セルラ携帯電話１７は、同様に赤外線通信ポート１８を備えており、ワイヤレスアプリケーションインターネットプロトコルＷＡＰに従って赤外線通信ポートを介して通信する。セルラ携帯電話１７は、特に、市場で入手可能ないわゆる第二世代のセルラ携帯電話であり、画面１９、英数字キーボード２０、および一つまたは複数のインターネットブラウザキー２１を備えている。このような電話は、保護手段の目標値または他のデータを入力／修正／編集する携帯用コンピュータに匹敵する。
【図面の簡単な説明】
【図１】本発明による高圧送電網用のデジタル保護手段を示す図である。
【図１】
2004506400.tif 000003
【国際公開パンフレット】
2004506400.tif 000004
2004506400.tif 000005
2004506400.tif 000006
2004506400.tif 000007
2004506400.tif 000008
2004506400.tif 000009
2004506400.tif 000010
【国際調査報告】
2004506400.tif 000011
2004506400.tif 000012
2004506400.tif 000013
2004506400.tif 000014